(57)【要約】【課題】クリップ玉の取付けを容易にし、機能性、デザイン性を高めることができるとともに、クリップ玉の取付けによって、筆記具に装着する際に、筆記具に対して収まり状態を良くし、かつ安定して取り付けることができるようにした筆記具用クリップを提供する。【解決手段】正面視ほぼＵ字状としたクリップ本体５の下端基部６に、クリップ玉９を取り付けるとともに、このクリップ玉９を、クリップ本体５における下端基部６側の左右両線材７、８間に介装される基体１０と、この基体１０の下端部１０ａに形成されるとともに、前記基体１０をクリップ本体５における下端基部６の線材軸廻りに回転可能に保持するための第１保持部１１と、前記基体１０の左右両側面の少なくとも一方に形成され、かつクリップ本体５における左右両線材７、８の少なくとも一方に保持されて、前記基体１０が下端基部６の線材軸廻りに回転することを抑止するための第２保持部１２とにより構成する。【選択図】    図６
2009039940.tif 000002
【特許請求の範囲】
【請求項１】
クリップ本体を、正面視ほぼＵ字状とした金属弾性線材によって形成するとともに、このクリップ本体における下端基部から上方に立ち上がる左右両線材の上端を、筆記具本体の上端部に設けた装着部に装着した筆記具用クリップにおいて、
クリップ本体の下端基部にクリップ玉を取り付けるとともに、このクリップ玉を、クリップ本体における下端基部側の左右両線材間に介装される基体と、この基体の下端部に形成されるとともに、前記基体をクリップ本体における下端基部の線材軸廻りに回転可能に保持するための第１保持部と、前記基体の左右両側面の少なくとも一方に形成され、かつクリップ本体における左右両線材の少なくとも一方に保持されて、前記基体が下端基部の線材軸廻りに回転することを抑止するための第２保持部とにより構成したことを特徴とする筆記具用クリップ。
【請求項２】
前記左右両線材の一方を、他方の線材に対して、前後方向に向けて側面視Ｖ字状を呈するような開き角度を有するように屈曲させるとともに、クリップ本体を筆記具本体の装着部へ装着した状態において、前記左右両線材のうちの一方の線材と他方の線材とをほぼ同一平面上に位置させるように装着した請求項１記載の筆記具用クリップ。
【請求項３】
前記左右両線材の上端を、互いに内側に向けて対向するＬ字型に屈曲させて、筆記具本体における装着部の左右両側部に、それぞれ装着可能とした請求項１または２記載の筆記具用クリップ。
【発明の詳細な説明】
【技術分野】
【０００１】
本発明は、ボールペン等の筆記具に装着される筆記具用クリップに関し、特に金属弾性線材によって曲成されたクリップ本体へのクリップ玉の取付構造に特徴を有する筆記具用クリップに関する。
【背景技術】
【０００２】
筆記具に装着されるクリップは、クリップ本体を、１本の金属弾性線材によって、下端基部から連続して左右両線材を上方に向けて正面視ほぼＵ字状に曲成して構成したものが知られている（特許文献１、２参照）。
【０００３】
このようなクリップは、筆記具本体の上端部に設けた装着部に着脱可能に装着する際、クリップ本体の左右両線材の上端が、左右両線材が互いにほぼ同一平面上に位置するように固定されるとともに、下端基部が筆記具本体に向けて弾性的に圧接されるようにするため、左右両線材には、付勢力（バネ弾性）をもたせるための曲げ加工が施されている。
【０００４】
しかし、前記特許文献１、２記載のものでは、線材を正面視Ｕ字状に曲成したクリップ本体の下端基部だけで、衣服のポケット等の被挾持物を弾性挾持するには、被挾持物に対する押え具合が悪く、更に滑り易いため、筆記具がポケットから抜け落ち易いばかりでなく、機能性、デザイン性にも劣っている。
【０００５】
そこで、前記した不具合を解消するために、クリップ本体の下端基部にクリップ玉を取り付けようとする場合、クリップ本体の左右両線材間には、線材の曲げ加工によって、左右両線材間に所望の開き角度を持たせて、筆記具本体に装着した際に、バネ弾性が付与されるようになっているが、その開き角度のばらつきがクリップ曲げ製品毎に大きく、また、曲げ加工される線材には、金属の種類によって様々な加工癖があることから、塑性変形し易く、設計通りの安定した形状が得られないため、クリップ本体の下端基部に、クリップ玉を同じ位置に安定して取り付けることが困難であった。
しかも、クリップ本体を筆記具本体に装着する際、左右両線材間の開き角度のばらつきによるバネ弾性の相違によって、筆記具本体に対してクリップ本体の収まりが悪く、安定して装着することができないという問題があった。
【特許文献１】特開平１１−３２１１８４号公報
【特許文献２】特開２００２−６７５７９号公報
【発明の開示】
【発明が解決しようとする課題】
【０００６】
本発明は、前記の現状に鑑み、クリップ玉の取付けを容易にし、機能性、デザイン性を高めることができるとともに、クリップ玉の取付けによって、筆記具に装着する際に、筆記具に対して収まり良く、安定して装着することができるようにした筆記具用クリップを提供することを目的とする。
【課題を解決するための手段】
【０００７】
上記課題は、「特許請求の範囲」の欄における各請求項に記載するように、次のような構成からなる発明によって解決される。
（１）  クリップ本体を、正面視ほぼＵ字状とした金属弾性線材によって形成するとともに、このクリップ本体における下端基部から上方に立ち上がる左右両線材の上端を、筆記具本体の上端部に設けた装着部に装着した筆記具用クリップにおいて、クリップ本体の下端基部にクリップ玉を取り付けるとともに、このクリップ玉を、クリップ本体における下端基部側の左右両線材間に介装される基体と、この基体の下端部に形成されるとともに、前記基体をクリップ本体における下端基部の線材軸廻りに回転可能に保持するための第１保持部と、前記基体の左右両側面の少なくとも一方に形成され、かつクリップ本体における左右両線材の少なくとも一方に保持されて、前記基体が下端基部の線材軸廻りに回転することを抑止するための第２保持部とにより構成する。
【０００８】
（２）  上記（１）項において、前記左右両線材の一方を、他方の線材に対して、前後方向に向けて側面視Ｖ字状を呈するような開き角度を有するように屈曲させるとともに、クリップ本体を筆記具本体の装着部へ装着した状態において、前記左右両線材のうちの一方の線材と他方の線材とをほぼ同一平面上に位置させるように装着する。
【０００９】
（３）  上記（１）項または（２）項において、前記左右両線材の上端を、互いに内側に向けて対向するＬ字型に屈曲させて、筆記具本体における装着部の左右両側部に、それぞれ装着可能とする。
【発明の効果】
【００１０】
本発明によると、次のような効果が奏せられる。
請求項１記載の発明によると、クリップ玉を、クリップ本体の下端基部と左右両線材の少なくとも一方の線材との間を跨いで保持させることによって、他方の線材に、開き角度のばらつきや、金属の種類による加工癖があっても影響されることがなく、クリップ本体の同じ位置に安定して保持させることができる。
これにより、クリップ本体へのクリップ玉の取付けを容易にし、機能性、デザイン性を高めることができるとともに、クリップ玉の取付けによって、クリップ本体の形状を安定させることができ、クリップ本体を筆記具に装着する際に、筆記具に対して収まり良く、安定して装着することができる。
【００１１】
請求項２記載の発明によると、左右両線材の一方を、他方の線材に対して、前後方向に向けて側面視Ｖ字状を呈するような開き角度を有するように屈曲させるとともに、クリップ本体を筆記具本体の装着部へ装着した状態において、一方の線材と他方の線材とをほぼ同一平面上に位置させるように装着してあるため、左右両線材間における開き角度のばらつきや、金属の種類による加工癖に影響されることなく、クリップ本体を筆記具に対して収まり良く取り付けることができるとともに、安定してバネ弾性を付与することができる。
【００１２】
請求項３記載の発明によると、左右両線材の上端を、互いに内側に向けて対向するＬ字型に屈曲させて、筆記具本体における装着部の左右両側部に、それぞれ装着可能としてあるため、クリップ本体を筆記具に対して収まり良く取り付けることができる。
【発明を実施するための最良の形態】
【００１３】
以下、本発明の実施形態を添附図面に基づいて詳細に説明する。
図１は、本発明における一実施形態の筆記具用クリップを備えたボールペンの正面図、図２は、同じく、側面図、図３は、クリップ本体を拡大して示す側面図、図４は、クリップ玉の拡大斜視図、図５は、クリップ本体へのクリップ玉の取付状態を示す側面図、図６は、同じく、斜視図、図７は、同じく、ボールペンへの装着状態を示す側面図である。
なお、本発明の実施形態において、筆記具として、ボールペンを例にして説明するが、これに限定されるものではない。
【００１４】
図１および図２に示すように、ボールペン１は、軸筒本体２の上端部２ａに装着部３を設けるとともに、この装着部３に、クリップ４が装着されている。
【００１５】
クリップ４は、クリップ本体５を、例えばステンレス製の１本の金属弾性線材によって、正面視ほぼＵ字状に曲成し、このクリップ本体５における下端基部６から上方に立ち上がる左右両線材７、８を長短二様に形成するとともに、図３に示すように、これら左右両線材７、８の上端７ａ、８ａを、互いに内側に向けて対向するＬ字型に屈曲させて、軸筒本体２における装着部３の左右両側部に設けた装着穴３ａ、３ｂに挿入することにより、軸筒本体２の上端部２ａに着脱可能に装着してある。
【００１６】
クリップ本体５における下端基部６側の左右両線材７、８間には、クリップ玉９が取り付けられている。
このクリップ玉９は、図４に示すように、平面視ほぼ逆等脚台形状の基体１０と、この基体１０における下端部１０ａ側の裏面に、左右方向に向けて形成した第１保持部としての第１噛込み溝１１と、前記基体１０の右側面に、前後１対の突出片１２ａ、１２ｂによって、上下方向に向けて形成した第２保持部としての第２噛込み溝１２と、前記基体１０における左側面に、前後方向に延びるリブ状突起１３とにより構成してある。
【００１７】
図５および図６に示すように、クリップ玉９は、基体１０をクリップ本体５における下端基部６側の左右両線材７、８間に介装するとともに、基体１０における下端部１０ａの第１噛込み溝１１を、クリップ本体５の下端基部６に噛み込ませて、基体１０が、クリップ本体５における下端基部６の線材軸廻りに回転可能となるようにし、かつ基体１０における右側面の第２噛込み溝１２を、クリップ本体５の下端基部６から折り返される右側（図１の正面視右側長軸）の線材７に噛み込ませて、クリップ本体５における下端基部６の線材軸廻りに基体１０が回転することを抑止するように保持させることにより、クリップ本体５に取り付けられている。
【００１８】
リブ状突起１３は、図１に示すように、クリップ本体５の下端基部６から折り返される左側（図１の正面視左側短軸）の線材８と基体１０の左側面との間に介在しうるようにして、第１噛込み溝１１と共に、基体１０が、下端基部６側の左右両線材７、８間における中央位置に、常に位置決めされるように、スペーサの役目をなしている。
【００１９】
クリップ本体５の短軸側の線材８は、図３に示すように、長軸側の線材７に対して、非平行状態となる、側面視Ｖ字状を呈するような開き角度θを有するように前方に向けて屈曲させてある。
このように、クリップ本体５における短軸側の線材８を屈曲させることによって、図７に示すように、クリップ本体５をボールペン１における軸筒本体２の装着部３へ装着した状態において、長軸側の線材７と短軸側の線材８とがほぼ同一平面上に平行状態で位置するように装着することにより、クリップ本体５の下端基部６が軸筒本体２に向けて弾性的に圧接され、バネ弾性が付与される。
【００２０】
すなわち、本実施形態では、クリップ玉９の基体１０を、クリップ本体５における下端基部６側の左右両線材７、８間に介装し、基体１０の下端部１０ａに形成された第１噛込み溝（第１保持部）１１を、クリップ本体５における下端基部６に噛み込ませて、基体１０が、クリップ本体５における下端基部６の線材軸廻りに回転可能に保持されるようにするとともに、基体１０の側面に形成された第２噛込み溝（第２保持部）１２を、クリップ本体５における一方の線材７に噛み込ませて、クリップ本体５における下端基部６の線材軸廻りに基体１０が回転することを抑止するようにして、クリップ本体５にクリップ玉９を取り付けてあるため、クリップ玉９を、クリップ本体５の下端基部６と線材７との間を跨いで保持させることによって、他方の線材８に開き角度θのばらつきや、金属の種類による加工癖があっても影響されることがなく、クリップ玉８をクリップ本体の同じ位置に安定して保持することができる。
これにより、クリップ本体５へのクリップ玉９の取付けを容易にし、機能性、デザイン性を高めることができるとともに、クリップ玉９の取付けによって、クリップ本体５の形状を安定させることができ、クリップ本体５をボールペン１の軸筒本体２に装着する際に、軸筒本体２に対して収まり良く、安定して装着することができる。
【００２１】
なお、前記の実施形態において、クリップ玉９における基体１０の側面に形成された第２保持部１２を、クリップ本体５における一方の線材７に保持させて、クリップ本体５における下端基部６の線材軸廻りの基体１０の回転を抑止するようにしたが、左右両線材７、８がほぼ同一平面上で互いに平行状態に曲成されている場合には、基体１０の左右両側面に、左右両線材７、８をそれぞれ保持させて、基体１０の回転が抑止されるようにしてもよい。
これにより、クリップ本体５の形状を、より安定させることができるとともに、ボールペン１の軸筒本体２への装着を、一層容易に行うことができる。
【図面の簡単な説明】
【００２２】
【図１】本発明における一実施形態の筆記具用クリップを備えたボールペンの正面図である。
【図２】同じく、側面図である。
【図３】クリップ本体を拡大して示す側面図である。
【図４】クリップ玉の拡大斜視図である。
【図５】クリップ本体へのクリップ玉の取付状態を示す側面図である。
【図６】同じく、斜視図である。
【図７】同じく、ボールペンへの装着状態を示す側面図である。
【符号の説明】
【００２３】
１    ボールペン（筆記具）
２    軸筒本体（筆記具本体）
２ａ  上端部
３    装着部
３ａ、３ｂ  装着穴
４    クリップ
５    クリップ本体
６    下端基部
７    線材
７ａ  上端
８    線材
８ａ  上端
９    クリップ玉
１０  基体
１０ａ  下端部
１１  第１噛込み溝（第１保持部）
１２  第２噛込み溝（第２保持部）
１２ａ  突出片
１２ｂ  突出片
１３  リブ状突起
θ    開き角度
【図１】
2009039940.tif 000003
【図２】
2009039940.tif 000004
【図３】
2009039940.tif 000005
【図４】
2009039940.tif 000006
【図５】
2009039940.tif 000007
【図６】
2009039940.tif 000008
【図７】
2009039940.tif 000009